(57)【特許請求の範囲】
【請求項１】
人間の瞳孔を縮小させる光を被写体に向けて照射する赤目軽減発光器を備えたカメラにおいて、
前記赤目軽減発光器から発せられる光の一部をファインダーで確認できるように構成されるとともに、レリーズボタンの半押し操作中に前記赤目軽減発光器を点灯させ、前記レリーズボタンが完全に押し込み操作されると、前記赤目軽減発光器を消灯し、閃光装置の発光を伴う撮影が行われることを特徴とするカメラ。
【請求項２】
人間の瞳孔を縮小させる光を被写体に向けて照射する赤目軽減発光器と、被写体の明るさを測光する測光手段と、被写体照明用の照明光を照射する閃光装置と、前記測光手段による測光の結果を予め設定された所定の輝度と比較し、前記所定の輝度に満たない低輝度下での撮影と判別した場合に前記赤目軽減発光器及び前記閃光装置を自動的に発光作動させる制御手段と、を備えた低輝度自動発光カメラであって、
前記測光手段による測光の結果が所定の輝度に満たない場合にレリーズボタンの半押し操作中に前記赤目軽減発光器を点灯させるとともに、前記赤目軽減発光器から発せられる光の一部を前記ファインダーを通して確認できるように構成され、前記レリーズボタンが完全に押し込み操作されると、前記赤目軽減発光器を消灯し、前記閃光装置の発光を伴う撮影が行われることを特徴とするカメラ。
【請求項３】
前記赤目軽減発光器から発せられる光の一部は、カメラの前面を包囲するカバーの内側面で反射されて前記ファインダー内に導かれることを特徴とする請求項１又は２記載のカメラ。
【請求項４】
前記ファインダーには、前記赤目軽減発光器から発せられた光の一部を該ファインダー内に導く光通過孔が形成されていることを特徴とする請求項１又は２記載のカメラ。
【請求項５】
前記測光手段による測光の結果が所定の輝度に満たない場合にレリーズボタンの半押し操作中に前記赤目軽減発光器を点灯させるとともに、前記赤目軽減発光器から発せられる光の一部をファインダー内に導き、
撮影前に前記閃光装置の作動の有無をファインダーを通して確認できるようにし、且つ前記低輝度下の撮影に際してファインダーの視野内の表示を視認しやすくしたことを特徴とする請求項２記載のカメラ。
【請求項６】
人間の瞳孔を縮小させる光を被写体に向けて照射する赤目軽減発光器を備えたカメラにおいて、
レリーズボタンの半押し操作中に前記赤目軽減発光器を点灯させ、前記赤目軽減発光器から発せられる光をカメラ背面に導き、その光を撮影者が視認できるように構成されており、前記レリーズボタンが完全に押し込み操作されると、前記赤目軽減発光器を消灯し、閃光装置の発光を伴う撮影が行われることを特徴とするカメラ。
【請求項７】
前記赤目軽減発光器は、ファインダー対物窓の下辺又は上辺の近傍に配置されていることを特徴とする請求項１乃至６の何れか１項に記載のカメラ。
【請求項８】
カメラ本体の前面部にＡＦ受光器が設けられており、前記ＡＦ受光器の横に前記赤目軽減発光器が配設されていることを特徴とする請求項１乃至７の何れか１項に記載のカメラ。
【請求項９】
前記ＡＦ受光器、赤目軽減発光器及びファインダー対物窓の前面に、これらを一体的に覆う単一の透明窓部材が設けられていることを特徴とする請求項８記載のカメラ。
【請求項１０】
被写体までの距離を検出する測距用の光を被写体に向けて出射するＡＦ投光器と、前記ＡＦ投光器から出射された光の被写体による反射光を受光する前記ＡＦ受光器とが設けられ、前記ＡＦ投光器と前記ＡＦ受光器との間に前記赤目軽減発光器が配置されていることを特徴とする請求項８記載のカメラ。
【請求項１１】
前記ＡＦ投光器、赤目軽減発光器及びＡＦ受光器は、ファインダー対物窓の下辺又は上辺の近傍に、該下辺又は上辺に沿って配設されていることを特徴とする請求項１０記載のカメラ。
【請求項１２】
前記ＡＦ投光器、ＡＦ受光器、赤目軽減発光器及びファインダー対物窓の前面に、これらを一体的に覆う単一の透明窓部材が設けられていることを特徴とする請求項１０又は１１記載のカメラ。
【発明の詳細な説明】
【０００１】
【発明の属する技術分野】
本発明はカメラに係り、特に、フラッシュ撮影時に赤目現象を軽減する赤目軽減発光器を有するカメラに関する。
【０００２】
【従来の技術】
低輝度自動発光とは、ストロボ内蔵カメラにおいてカメラ側で被写体を測光し、所定の明るさ以下と判断した場合に自動的にストロボを発光させて撮影を行うようにしたものであり、今日のコンパクトカメラで広く適用されている技術である。
【０００３】
また、赤目現象とは、ストロボ閃光（フラッシュ）で人物を撮影する際、ストロボ装置から発せられた閃光が人の目の瞳孔を通過し、網膜部分で反射され、その反射光がフイルムに写って人の目が赤色に光って写ることをいう。この現象を防止する技術として、従来ストロボ装置の発光に先立ち、予備照射ランプ（赤目軽減ランプ）によるプリ照射を行い、瞳孔が最小径になったときにストロボ装置を発光させて写真撮影を行う技術が知られている（特公昭５８─４８０８８号公報）。
【０００４】
【発明が解決しようとする課題】
しかしながら、従来の低輝度自動発光カメラでは、撮影しようとする被写体に対してストロボ発光が行われるか否かを撮影者が撮影前に認識できないという欠点があった。また、通常、ファインダーの視野には、画面サイズ（フルサイズ、パノラマサイズ等）のフレーム、オートフォカス（ＡＦ）ターゲットマーク或いは近距離撮影時のパララックス補正マーク等が表示されているが、かかる表示を低輝度撮影下では非常に見にくいという欠点があった。
【０００５】
更に、赤目軽減発光器や測距手段としてのＡＦ投光器及びＡＦ受光器など、各種部材を機能面、コスト面、外観面を考慮してカメラの前面に適切に配設する必要もある。
本発明はこのような事情に鑑みてなされたもので、ファインダーを通してストロボ発光の有無を確認できるとともに、低輝度下でもファインダーの視野の表示が見やすいカメラを提供することを目的とする。また、本発明は低コストでＡＦセンサー、赤目軽減発光器をコンパクトに配置できるカメラを提供することを目的とする。
【０００６】
【課題を解決するための手段】
本発明は前記目的を達成するために、人間の瞳孔を縮小させる光を被写体に向けて照射する赤目軽減発光器を備えたカメラにおいて、前記赤目軽減発光器から発せられる光の一部をファインダーで確認できるように構成されるとともに、レリーズボタンの半押し操作中に前記赤目軽減発光器を点灯させ、前記レリーズボタンが完全に押し込み操作されると、前記赤目軽減発光器を消灯し、閃光装置の発光を伴う撮影が行われることを特徴とする。
また、本発明の一態様に係るカメラは、人間の瞳孔を縮小させる光を被写体に向けて照射する赤目軽減発光器と、被写体の明るさを測光する測光手段と、被写体照明用の照明光を照射する閃光装置と、前記測光手段による測光の結果を予め設定された所定の輝度と比較し、前記所定の輝度に満たない低輝度下での撮影と判別した場合に前記赤目軽減発光器及び前記閃光装置を自動的に発光作動させる制御手段と、を備えた低輝度自動発光カメラであって、前記測光手段による測光の結果が所定の輝度に満たない場合にレリーズボタンの半押し操作中に前記赤目軽減発光器を点灯させるとともに、前記赤目軽減発光器から発せられる光の一部を前記ファインダーを通して確認できるように構成され、前記レリーズボタンが完全に押し込み操作されると、前記赤目軽減発光器を消灯し、前記閃光装置の発光を伴う撮影が行われることを特徴とする。
【０００７】
本発明によれば、赤目現象の軽減のために設けられている赤目軽減発光器を、通常の赤目軽減のために利用することに加え、該赤目軽減発光器から発せられる光をファインダー内に導くことで閃光装置の作動の有無を知らせる手段としても利用すると同時に、ファインダー内を照明する補助光手段として利用している。これにより、撮影者はファインダーを通して閃光装置の作動の有無を確認できると同時に、低輝度下でもファインダー視野の表示をはっきりと視認できる。
【０００８】
赤目軽減発光器から発せられる光をファインダー内に積極的に導く手段としては、カメラの前面を包囲するカバーの内側面で反射させる態様と、赤目軽減発光器からの光の一部が直接ファインダー内に入射するようファインダーと赤目軽減発光器とを隔てる壁に光透過孔を形成する態様とが考えられ、共にカメラの構成上実施が容易で効果的である。
また、本発明の他の態様は、人間の瞳孔を縮小させる光を被写体に向けて照射する赤目軽減発光器を備えたカメラにおいて、レリーズボタンの半押し操作中に前記赤目軽減発光器を点灯させ、前記赤目軽減発光器から発せられる光をカメラ背面に導き、その光を撮影者が視認できるように構成されており、前記レリーズボタンが完全に押し込み操作されると、前記赤目軽減発光器を消灯し、閃光装置の発光を伴う撮影が行われることを特徴とする。
【０００９】
本発明において、赤目軽減発光器をファインダー対物窓の下辺又は上辺の近傍に配置する態様がある。また、ＡＦ受光器の横に前記赤目軽減発光器を配置する態様もある。
本発明の他の態様に係るカメラは、被写体までの距離を検出する測距用の光を被写体に向けて出射するＡＦ投光器と、前記ＡＦ投光器から出射された光の被写体による反射光を受光する前記ＡＦ受光器とが設けられ、前記ＡＦ投光器と前記ＡＦ受光器との間に前記赤目軽減発光器が配置されていることを特徴とする。
この場合、前記ＡＦ投光器、赤目軽減発光器及びＡＦ受光器をファインダー対物窓の下辺又は上辺の近傍に、該下辺又は上辺に沿って配設する態様がある。
【００１０】
本発明によれば、一定の間隔を隔てて配置されるべき測距用のＡＦ投光器とＡＦ受光器の中間に赤目軽減発光器を配置し、三者を並べてファインダー対物窓の下辺又は上辺近傍に該下辺又は上辺に沿って配設したので、ＡＦセンサー、赤目軽減発光器をコンパクトに配置できる。また、通常、ＡＦ投光器、ＡＦ受光器、及び赤目軽減発光器の前面は透明部材で密閉されることが多く、本発明によれば、前記三者の前面を一つの透明窓部材で一体的に密閉することができ、それぞれを個別に密閉する場合に比べて部品点数を減らすことができるという利点がある。
【００１１】
【発明の実施の形態】
以下添付図面に従って本発明に係るカメラの好ましい実施の形態について説明する。
図１は本発明が適用された低輝度自動発光カメラの外観を示す正面図、図２は上面図、図３は背面図、図４は底面図、図５は左側面図である。図１に示すカメラ１０の前面中央部には、撮影レンズ１２が設けられ、カメラ１０内部の前記撮影レンズ１２の光軸上にはシャッター（不図示）が組み込まれている。
【００１２】
前記撮影レンズ１２の上部右隅部には、ストロボ窓１４が設けられ、該ストロボ窓１４の図中左側にはファインダー対物窓１６が設けられている。この四辺形状のファインダー対物窓１６の下方には、該窓の下辺に沿って右から順にＡＦ投光器１８、赤目軽減ランプ２０及びＡＦ受光器２２が配設されている。そして前記ファインダー対物窓１６、ＡＦ投光器１８、赤目軽減ランプ２０、及びＡＦ受光器２２の前面は、透明窓部材２３で密閉されている。
【００１３】
前記ＡＦ投光器１８には赤外発光ダイオードが用いられ、ＡＦ受光器２２には受光素子が用いられ、よく知られているように前記ＡＦ投光器１８及びＡＦ受光器２２により被写体までの距離を測定する測距手段が構成される。この測距手段は、ＡＦ投光器１８から照射された光の被写体による反射光をＡＦ受光器２２で受光し、その受光光量に基づいて被写体距離を求め、その結果をＡＦ制御に利用している。
【００１４】
前記ＡＦ投光器１８の下方には、被写体の明るさを測光するＡＥ受光器２４が設けられている。前記ＡＥ受光器２４は、外光を入射させるレンズと該レンズの結像位置に設けられた受光素子（ＣｄＳ）とから成り、このＡＥ受光器２４による測光結果に基づいて、ストロボ発光の制御や露出制御（ＡＥ制御）が行われる。
【００１５】
当該カメラ１０に内蔵されたストロボ装置は、発光管と、その充電電荷を蓄えるコンデンサーと、該コンデンサーを充電する充電回路と、発光管の発光開始を制御する制御回路とから構成されており、前記ＡＥ受光器２４の測光結果が予め設定された所定の明るさ以下と判別された場合に、自動的にストロボ発光モードに設定されるようになっている。そして、フラッシュ撮影時には、ストロボ装置の閃光に先立ってレリーズボタンの半押し時点で前記赤目軽減ランプ２０を短時間点灯させ、人の瞳孔を縮小させるのに必要な光量を与えた後、ストロボ装置を閃光させて赤目現象を緩和するようになっている。カメラ１０内には、前記ＡＦ制御、ＡＥ制御、及びストロボ装置等を制御する制御装置が設けられている。
【００１６】
前記カメラ１０の上面にはシャッターボタン（レリーズボタン）２６が設けられており、該シャッターボタン２６の操作に連動して前記シャッターが動作するようになっている。前記シャッターボタン２６が半押しされるとＡＦ、ＡＥ機能が作動し、続いて該シャッターボタン２６が完全に押し込まれるとシャッターが開閉しフイルムが露光される。
【００１７】
また、前記シャッターボタン２６が押された際のＡＥ測光の結果、前記所定の明るさ（輝度）以下の場合には自動的にストロボ発光モードに設定されると同時に前記赤目軽減ランプを点灯させるようにしている。この赤目軽減ランプの点灯は、シャッターボタン２６の前記半押し操作状態が維持されている間は点灯し続けるようにしてもよい。
【００１８】
前記シャッターボタン２６の近傍には、図２に示すように撮影コマ数を表示する撮影枚数表示窓２８が形成されている。この撮影枚数表示窓２８の内側には、フイルム給送機構と連動する撮影枚数表示板（目盛り付き）が設けられており、フイルムが１コマ巻き上げられる毎に撮影コマ数を順算式に表示し、フイルム巻き戻し時に逆算作動するようになっている。
【００１９】
図３に示すように、前記カメラ１０の背面上部には、右からフイルム巻戻しレバー３０、セルフタイマーボタン３２、ファインダー接眼窓３４が順に設けられている。前記フイルム巻戻しレバー３０は、フイルムの全コマ撮影終了後又は前コマ使用完了前の途中でフイルムをカートリッジに巻き戻すための手動操作レバーである。
【００２０】
前記ファインダー接眼窓３４を覗くと、ファインダー内には画面範囲を示すフレーム、ＡＦターゲットマーク、及び近距離撮影時のパララックス補正マーク等が表示されている。また、ファインダー接眼窓３４の左近傍には、ストロボ充電が完了した表示をする表示ランプ３６が設けられている。
前記カメラ１０の背面下部には、プリントアスペクト比を選択する切り替えレバー３８が設けられている。この切り替えレバー３８は、左、中央、右の３か所でクリックストップ可能に構成され、図の左からシネマプリントモード（Ｃ）、ハイビジョンプリントモード（Ｈ）及びパノラマプリントモード（Ｐ）に対応している。前記切り替えレバー３８の上方には、該レバーのクリックストップ位置に対応した各プリントモードの種類を示すマーキンング３９ａ、３９ｂ、３９ｃが施されている。撮影者は、撮影前に前記切り替えレバー３８を操作することによって「Ｃ」、「Ｈ」、又は「Ｐ」のうちの何れか一つを選択することになる。前記切り替えレバー３８によって選択されたプリントアスペクト比の情報は、カメラ１０に内蔵された発光ダイオード（ＬＥＤ）によってフイルム上の該当コマ部分に光学的に記録される。
【００２１】
図４に示すように、カメラ１０の底面には、開閉自在に支持された蓋４２と、該蓋４２を開放するレバー部材４４が設けられており、前記レバー部材４４を矢印４５の方向に操作して前記蓋４２を開放し、フイルムカートリッジ室にフイルムを装填し、又はフイルムカートリッジ室からフイルムを取り出すようになっている。前記カメラ１０の底面には該カメラ１０を三脚に固定するためのネジ穴４６が形成されている。また、図５に示すようにカメラ１０の左側面には開閉自在に支持された蓋４８が設けられ、該蓋４８の内側に形成された電池収納室にカメラ電源用電池が収納されるようになっている。
【００２２】
図６は、赤目軽減ランプとファインダーの関係を示す断面図である。カメラ１０の本体は、主として前カバー５０と後カバー５２によって包囲され、前カバー５０の前面上部にはファインダー対物窓１６が形成されている。また、前カバー５０の前方には更に、化粧前カバー５５が設けられている。この化粧前カバー５５には、図１に示したファインダー対物窓１６、ＡＦ投光器１８、赤目軽減ランプ２０、及びＡＦ受光器２２の前面を密閉する透明窓部材２３が支持されている。
【００２３】
前記ファインダー対物窓１６の後方には、ファインダーレンズ５６、５７、５８が配設され、逆ガリレオタイプ・アルバタ式ブライトフレームファインダーが構成されている。即ち、中央のファインダーレンズ５７の凹面５７Ａには、該凹面５７Ａが半透明な凹面鏡となるように反射膜が蒸着されており、後方のファインダーレンズ（接眼レンズ）５８の内側面にはＣ／Ｈ／Ｐの各アスペクト比に対応した視野枠が蒸着されている。前記接眼レンズ５８の内側面には、前記視野枠の他、各種表示マーク（例えば、近距離撮影時のパララックス補正用枠、ＡＦターゲットマークなど）が蒸着されている。
【００２４】
ファインダー対物窓１６から入射した光で前記視野枠及び各種表示マークが照明され、前記ファイダーレンズ５７の凹面５７Ａで反射されて前記視野枠等の虚像が遠方で結ばれる。そして、接眼レンズ５８によってこの視野枠等の虚像と被写体の像を同時に観察することになる。
前記Ｃ／Ｈ／Ｐの各アスペクト比に対応した視野枠を蒸着する代わりに、ファインダー視野枠を対向する一対の略Ｌ字形状の視野枠片で拡縮自在に構成し、該拡縮自在視野枠を前記切り替えレバー３８に連動してファインダーの視野領域をＣ／Ｈ／Ｐと切り替えるようにしてもよい。
【００２５】
前記ファインダー対物窓１６の下方には、ランプ支持部材５９に支持された赤目軽減ランプ２０が配設されている。この赤目軽減ランプ２０は外周面及び後端面を前記支持部材５９によって包囲されており、発光された光は前方に向けて照射されるようになっている。
前記化粧前カバー５５の内側、即ち、化粧前カバー５５と前カバー５０の間には、レンズバリア６０がスライド自在に支持されており、該レンズバリア６０下部のツマミ６０Ａをスライドさせることにより、レンズバリア６０を撮影レンズ１２、ファインダー対物窓１６及び赤目軽減ランプ２０の前面に進出させ（バリア閉状態）、又は退避させる（バリア開状態）ことができるようになっている。また、このレンズバリア６０は電源スイッチと兼用されており、バリア開時に電源がＯＮ状態となってストロボ充電が開始されるとともに撮影可能状態となり、バリア閉時に電源がＯＦＦされ撮影不能状態となる。
【００２６】
同図に示したように、前記前カバー５０の前面に面してファインダー対物窓１６及び赤目軽減ランプ２０が配設され、前カバー５０と化粧前カバー５５の間にレンズバリア６０を収納するスペースとしての隙間６２が形成されているので、赤目軽減ランプ２０から発せられた光は前記隙間６２を通ってファインダー対物窓１６からファインダー内に進入する。
【００２７】
図７には、前記レンズバリア６０の収納スペースとしての隙間を明示するため、レンズバリア６０を除いた様子が示されている。図７に示すように化粧前カバー５５と赤目軽減ランプ２０との間には、レンズバリア６０が収納される隙間６２が設けられており、この隙間６２を光通路として前記赤目軽減ランプ２０から発せられた光がファインダー内に進入するようになっている。更に好ましくは前記化粧前カバー５５の透明窓部材２３裏側面には光を反射するマスク部材６４を固着して、前記赤目軽減ランプ２０から発せられた光を該マスク部材６４で反射して積極的にファインダー内に導くように構成してもよい。
【００２８】
次に、上記の如く構成された低輝度自動発光カメラの作用について説明する。先ず、レンズバリア６０を開いて撮影可能状態にした後、カメラ背面の切り替えレバー３８を操作して希望するプリントアスペクト比を選択する。そして、ファインダー接眼窓３４を覗きながら撮影レンズ１２を被写体に向け、選択したプリントアスペクト比に対応する視野枠及び各種表示マークを確認しながら構図を決定し、シャッターボタン２６を押す。
【００２９】
シャッターボタン２６が押されると、カメラ１０はＡＥ測光及びＡＦ測距を行う。ＡＥ測光の結果、前記予め設定された輝度以上の場合には撮影に十分な輝度が得られるものと判断され、ストロボ発光を行わない「通常撮影モード」となる。また、ＡＥ測光の結果、予め設定された輝度に満たない場合には制御装置によって、低輝度下撮影と判断され自動的に「ストロボ発光モード」に設定される。
【００３０】
「通常撮影モード」となった場合には、赤目軽減ランプ２０は点灯せず、シャッターボタン２６が完全に押し込まれるとＡＦ制御に基づいてフォーカス調整が行われ、ＡＥ制御に基づいてシャッターが開動作し、撮影が行われる。そして、１コマ撮影後にフイルムを１コマ自動巻き上げし、次の撮影が行える状態になる。
【００３１】
他方、前記ＡＥ測光の結果に基づいて、カメラが「ストロボ発光モード」に設定された場合には、シャッターボタン２６を半押しした時に赤目軽減ランプ２０が点灯する。そして、シャッターボタン２６が完全に押し込まれると赤目軽減ランプ２０が消灯し、ＡＦ制御に基づいてフォーカス調整が行われ、ＡＥ制御に基づいてシャッターが開動作するともに、所定の開口状態に達した時点でストロボ発光が行われる。そして、１コマ撮影後にフイルムを１コマ自動巻き上げし、次の撮影が行える状態になる。
【００３２】
「ストロボ発光モード」となった場合の赤目軽減ランプの点灯は、シャッターボタン２６の半押し込み操作中は点灯が継続され、シャッターボタン２６の押し込み解除によって解除（消灯）されるので、シャッターボタン２６をいわゆる半押し状態で維持すると赤目軽減ランプ２０は点灯し続ける。赤目軽減ランプ２０から照射された光の一部は、図７に示した隙間６２（化粧前カバー５５と前カバー５０との間に形成されたレンズバリア６０収納スペース）を通り、化粧前カバー５５の透明窓部材２３の裏側面に固着されたマスク部材６４で反射されてファインダー対物窓１６からファインダー内に進入する。
【００３３】
従って、ファインダー接眼窓３４を覗いている撮影者は、ファンイダーを通して赤目軽減ランプ２０が点灯していることを認識できる。赤目軽減ランプ２０の点灯はカメラが「ストロボ発光モード」に設定されたことを意味しているので、撮影者は、シャッターボタン２６を完全に押し込む前、つまり最終的な撮影前にストロボ装置の作動の有無をファインダーを通して確認できる。
【００３４】
また、前記赤目軽減発光器から発せられた光の一部がファインダー内に導かれることで、この光がファインダーの視野枠及び各種表示マークを照明する言わばファインダー補助光の役割を果たし、低輝度下の撮影に際してファインダーの視野内の表示が見やすくなる。
赤目軽減ランプ２０からの光をファインダー内に導きやすくするという観点から赤目軽減ランプ２０をファインダーの近傍に配設する際、図１に示したように一定の間隔を隔てて配置されるべきＡＦ投光器１８とＡＦ受光器２２の中間に赤目軽減ランプ２０を配置し、三者を並べて四辺形状のファインダー対物窓１６の下辺に沿って配設したので、配列に無駄がなく外観的な美観にも優れている。
【００３５】
かかる配置としたことにより、ファインダー対物窓１６、ＡＦ投光器１８、ＡＦ受光器２２、及び赤目軽減ランプ２０の前面を一つの透明窓部材２３で一体的に密閉することができ、該透明窓部材２３の裏側面を反射面として利用して赤目軽減ランプ２０からの光の一部をファインダーに導くことができる（図７参照）。また、ファインダー対物窓１６、ＡＦ投光器１８、ＡＦ受光器２２、及び赤目軽減ランプ２０の前面をそれぞれを個別に密閉する場合に比べて部品点数を減らすことができるという利点がある。それぞれ個別の透明部材で密閉する場合には、各透明部材をそれぞれの別々の成形型で製作しなければならずコスト高であるのに対し、本発明では一つの透明窓部材２３の製作だけで足りるので、低コスト化を図ることができる。
【００３６】
上記実施の形態では、ＡＦ投光器１８、赤目軽減ランプ２０及びＡＦ受光器２２を四辺形状のファインダー対物窓１６の下辺に沿って配設する場合について説明したが、四辺形状のファインダー対物窓１６の上辺に沿って配設してもよい。尚、ファインダー対物窓１６は一般的には四辺形状であるが、必ずしも四辺形状である必要はない。
【００３７】
また、赤目軽減ランプ２０からの光をファインダー内に導く形態としては、上記実施の形態のほか、ファインダー系と赤目軽減ランプとを隔てる壁などに光通過孔を設け、該光透過孔を介して赤目軽減ランプからの光を直接ファインダー内に導くようにしてもよい。例えば、図６に示したようなランプ支持部材５９の上面部に光透過孔を形成したり、ファインダー系を包囲する部材に光透過孔を形成する等の態様が考えられる。
【００３８】
【発明の効果】
以上説明したように本発明に係るカメラによれば、赤目軽減発光器から発せられる光を撮影者がファインダーによって確認できる構成にしたので、ストロボ発光の有無を確認することができる。
また、本発明に係るカメラによれば、赤目軽減発光器から発せられる光をファインダー内に導くことで閃光装置の作動の有無を知らせる手段としても利用すると同時に、ファインダー内を照明する補助光手段として利用するようにしたので、撮影者はファインダーを通して閃光装置の作動の有無を確認できると同時に、低輝度下でもファインダー視野の表示をはっきりと視認できる。
【００３９】
また、ＡＦ投光器とＡＦ受光器の中間に赤目軽減発光器を配置し、三者を並べてファインダー対物窓の下辺又は上辺近傍に該下辺又は上辺に沿って配設したので、ＡＦ投光器とＡＦ受光器及び赤目軽減発光器をコンパクトに配置することができるとともに、前記三者の前面を一つの透明窓部材で一体的に密閉することができ、低コスト化を図ることができる。
即ち、前記三者の前面をそれぞれ個別の透明部材で密閉する場合には、各透明部材をそれぞれの別々の成形型で製作しなければならずコスト高であるのに対し、本発明では、一つの透明部材の製作だけで足りるので、低コスト化を図ることができる。
【図面の簡単な説明】
【図１】本発明が適用された低輝度自動発光カメラの外観を示す正面図
【図２】図１に示したカメラの上面図
【図３】図１に示したカメラの背面図
【図４】図１に示したカメラの底面図
【図５】図１に示したカメラの左側面図
【図６】赤目軽減ランプとファインダーの関係を示す断面図
【図７】赤目軽減ランプとファインダーの関係を示す断面図
【符号の説明】
１０…カメラ
１４…ストロボ窓
１６…ファインダー対物窓
１８…ＡＦ投光器
２０…赤目軽減ランプ
２２…ＡＦ受光器
２３…透明窓部材
２６…シャッターボタン
３４…ファインダー接眼窓
５０…前カバー
５５…化粧前カバー
５６、５７、５８…ファインダーレンズ
６０…レンズバリア
６４…マスク部材
【図１】
0003713691.tif 000002
【図２】
0003713691.tif 000003
【図３】
0003713691.tif 000004
【図４】
0003713691.tif 000005
【図５】
0003713691.tif 000006
【図６】
0003713691.tif 000007
【図７】
0003713691.tif 000008